(57)【特許請求の範囲】
【請求項１】
電動送風機およびこの電動送風機の少なくとも一部を覆うカバー体を備えた電動送風部と、
この電動送風部を収容する収容室を区画する本体ケースと、
前記電動送風機と前記カバー体との間に位置して前記電動送風機を前記カバー体に対して弾性的に支持する複数の第１コイルばねを備えた第１コイルばね群と、
前記カバー体と前記本体ケースとの間に位置して前記電動送風部を前記本体ケースに対して弾性的に支持する複数の第２コイルばねを備えた第２コイルばね群とを具備し、
前記第１コイルばねと前記第２コイルばねとは、前記電動送風部の周方向に対して互いにずれて配置されている
ことを特徴とした電気掃除機。
【請求項２】
第１コイルばね群は、３つの第１コイルばねを備え、
第２コイルばね群は、３つの第２コイルばねを備え、
前記第１コイルばねと前記第２コイルばねとは、電動送風部の周方向に対して互いに６０°ずつずれて交互に配置されている
ことを特徴とした請求項１記載の電気掃除機。
【請求項３】
第１コイルばね群は、１つの第１コイルばねが電動送風機の下部に位置し、かつ、他の２つの第１コイルばねが前記電動送風部の上部両側に位置し、
第２コイルばね群は、１つの第２コイルばねが前記電動送風部の上部に位置し、かつ、他の２つの第２コイルばねが前記電動送風部の下部両側に位置している
ことを特徴とした請求項２記載の電気掃除機。
【請求項４】
第１コイルばね群は、電動送風部の重心に対応する位置に配置され、
第２コイルばね群は、前記電動送風部の重心を挟む位置に複数配置されている
ことを特徴とした請求項１ないし３いずれか一記載の電気掃除機。
【請求項５】
電動送風機は、ファンおよびこのファンを回転させる電動部を有し、
前記ファン側に位置する第２コイルばね群の第２コイルばねのばね定数が、前記電動部側に位置する第２コイルばね群の第２コイルばねのばね定数よりも小さい
ことを特徴とした請求項４記載の電気掃除機。
【発明の詳細な説明】
【技術分野】
【０００１】
本発明は、電動送風機を弾性的に支持する電気掃除機に関する。
【背景技術】
【０００２】
従来、この種の電気掃除機は、ファンである遠心ファンとこの遠心ファンを回転させる電動部である電動機とを有する電動送風機を、本体ケースの内部に区画された収容室である送風室に収容した掃除機本体を備えている。そして、電動送風機は、本体ケースに対して、その振動を伝えにくくするために、複数のコイルばねによって周囲を本体ケースに支持している。これらコイルばねは、電動送風機の径方向に沿って配置され、一端側が電動送風機側に連結され、他端側が本体ケース側に連結されている（例えば、特許文献１参照。）。
【特許文献１】特許第２８７４４０１号公報（第４頁、図５および図６）
【発明の開示】
【発明が解決しようとする課題】
【０００３】
しかしながら、上述の電気掃除機では、電動送風機を各コイルばねによって直接本体ケースに接続しているため、コイルばねによる電動送風機の振動の吸収性が充分でないという問題点を有している。
【０００４】
本発明は、このような点に鑑みなされたもので、電動送風機の駆動に伴う振動を効果的に吸収できる電気掃除機を提供することを目的とする。
【課題を解決するための手段】
【０００５】
本発明は、電動送風機と前記カバー体との間に位置して電動送風機をカバー体に対して弾性的に支持する複数の第１コイルばねを備えた第１コイルばね群と、カバー体と本体ケースとの間に位置して電動送風部を本体ケースに対して弾性的に支持する複数の第２コイルばねを備えた第２コイルばね群とを具備し、第１コイルばねと第２コイルばねとは、電動送風部の周方向に対して互いにずれて配置されているものである。
【発明の効果】
【０００６】
本発明によれば、電動送風機をカバー体に対して第１コイルばね群によって支持した電動送風部を第２コイルばね群によって本体ケースに対して支持するとともに、第１コイルばね群の第１コイルばねと、第２コイルばね群の第２コイルばねとを、電動送風部の周方向に対して互いにずらして配置することで、電動送風機の駆動に伴う振動を、各コイルばね群によって効果的に吸収できる。
【発明を実施するための最良の形態】
【０００７】
以下、本発明の第１の実施の形態の電気掃除機の構成を図１ないし図３を参照して説明する。
【０００８】
図１ないし図３において、１は掃除機本体であり、この掃除機本体１は被掃除面としての床面を走行可能な、いわゆるキャニスタ型の電気掃除機である。
【０００９】
そして、この掃除機本体１は、上側が開放されたケースである下ケース２と、この下ケース２の後部上側に対向配置されこの後部上側を覆うケースである上ケース３と、下ケース２の前部上側を開閉可能な蓋体４とを有する本体ケース５を備えている。この本体ケース５には、下ケース２と上ケース３との間に収容室としての送風室６が区画されているとともに、下ケース２と蓋体４との間に集塵室が区画され、これら送風室６と集塵室との間には、これらを区画する隔壁部８が設けられている。
【００１０】
送風室６には、下ケース２と上ケース３とが図示しないシールパッキンを介して螺子などにより気密に組み付けられることで区画された空間部であり、略円筒状の電動送風部11が、軸方向が前後方向に沿う状態となるように収容されている。また、この送風室６は、上ケース３の後部に穿設された排気孔12を介して本体ケース５の外部と連通している。さらに、この送風室６の側方には、電動送風部11へと外部からの電源を供給可能な電源コード13を巻回したコードリールが収容されるコードリール室が区画されている。
【００１１】
ここで、コードリール室は、下ケース２の後部に開口形成されたコード導出口から電源コード13を導出可能となっている。
【００１２】
一方、集塵室には、例えば紙パック、あるいはサイクロン集塵装置などの集塵部が着脱可能となっている。また、この集塵室の前部には、本体吸込口21が下ケース２に穿設されている。そして、この本体吸込口21には、ホース体22が着脱可能に設けられ、このホース体22の先端部に、手元操作部23が設けられている。また、この手元操作部23には、作業者が把持する把持部25が突設されているとともに、この把持部25に、作業者により電動送風部11の動作モードなどを設定する設定ボタン26が複数設けられている。さらに、手元操作部23の先端部には、延長管28と吸込口体としての床ブラシ29とが順次連通接続される。
【００１３】
隔壁部８には、送風室６側である後部に位置する後部隔壁31と、集塵室側である前部に位置する図示しない前部隔壁と、この前部隔壁に連続して送風室６とコードリール室とを区画する側部隔壁33とを備え、前部隔壁の後部に、掃除機本体１内の図示しない各種機構を動作させる駆動部が取り付けられている。
【００１４】
後部隔壁31には、丸孔状の後部連通孔37が穿設され、また、前部隔壁には、丸孔状の前部連通孔が穿設され、これら後部連通孔37と前部連通孔とが、図示しないダクトによって気密に接続されている。
【００１５】
後部連通孔37の後部には、電動送風部11が気密に接続されている。また、前部連通孔の前部である集塵室側には、図示しないフィルタが配置されている。
【００１６】
側部隔壁33には、送風室６とコードリール室とを連通する図示しない連通口が形成されている。
【００１７】
そして、後部隔壁31、前部隔壁および側部隔壁33の上部には、上ケース３との間で挟持されて送風室６、集塵室およびコードリール室を気密に区画するためのシール部材である図示しないパッキンが取り付けられている。
【００１８】
電動送風部11は、図１および図２に示すように、重量物であるファンモータすなわち電動送風機41と、この電動送風機41の少なくとも一部を覆って保持する比較的軽量のカバー体としての保持部材である略円筒状のモータカバー42と、電動送風機41をモータカバー42に対して弾性的に支持して電動送風機41の回転振動を減衰する複数、例えば３つの第１コイルばね43を有する第１支持ユニットである第１コイルばね群44とを備え、複数、例えば３つの第２コイルばね45を有する複数、例えば２つの第２支持ユニットである第２コイルばね群46により本体ケース５に対して弾性的に支持されている。
【００１９】
電動送風機41は、ケース体としての有底円筒状のモータフレーム47と、このモータフレーム47の開口側である前側に嵌着されモータフレーム47より大径の略円筒状のファンカバー48とを有し、モータカバー42と軸方向を合わせてこのモータカバー42内に保持されている。そして、この電動送風機41のモータフレーム47の周囲には、第１コイルばね群44をなす第１コイルばね受け部としての第１ばね受けリングである内周側ばね支持体51および外周側ばね支持体52が取り付けられ、これらばね支持体51，52間に、第１コイルばね43が保持されて、電動送風機41がモータカバー42側に対して弾性支持されている。
【００２０】
モータフレーム47内には、駆動源である電動部としての電動機55が収容されている。この電動機55は、回転軸56が、ファンカバー48により覆われた動翼すなわちファンである遠心ファン57と接続され、この遠心ファン57を回転させるように構成されている。
【００２１】
また、モータフレーム47の後側寄りの周面には、複数の四角形状の排気口61が周方向に互いに略等間隔に離間されて穿設されているとともに、これら排気口61の間の位置に穿設された図示しない取付孔に、電動機55の整流子に電気的に接続される図示しないブラシ機構部がそれぞれ取り付けられる。
【００２２】
また、ファンカバー48の中心部には、吸気口66が穿設されている。
【００２３】
そして、電動送風機41は、電動機55により回転された遠心ファン57により、吸気口66から空気を吸い込み、この吸い込んだ空気をモータフレーム47の内部から排気口61を介してモータフレーム47の外部へと排気することにより、ダクト、集塵室、ホース体22(図３)、延長管28(図３)および床ブラシ29(図３)などへと負圧を作用させることが可能となっている。
【００２４】
内周側ばね支持体51は、例えば合成樹脂、あるいは金属などによりモータフレーム47の外周に沿った形状、例えば円環状に形成され、モータフレーム47の周囲に密着して電動送風機41を保持している。また、この内周側ばね支持体51は、電動送風機41と軸方向を合わせてモータフレーム47に取り付けられ、前後方向(軸方向)の中心域が電動送風機41の重心Ｇに対応する位置である、モータフレーム47の前端寄りでかつファンカバー48の後方に位置している。なお、電動送風機41の重心は、電動送風機41とモータカバー42との重量差を考慮すると、電動送風部11の重心と略一致しているため、以下、重心Ｇは電動送風機41および電動送風部11の重心とする。さらに、内周側ばね支持体51の外周側には、各第１コイルばね43の一端部を保持する第１内周コイルばね保持部としての第１内周ばね保持部71が、複数、例えば３箇所に形成されている。
【００２５】
これら第１内周ばね保持部71は、それぞれ第１コイルばね43の一端を内周側に嵌着する円筒状の第１内周保持円筒部71aと、この第１内周保持円筒部71aの内部にて径方向に突出し第１コイルばね43に挿入されてこの第１コイルばね43を保持する第１内周突出保持部71bとを備え、内周側ばね支持体51の周方向に互いに略等角度、すなわち本実施の形態では互いに１２０°ずつに離間されている。また、これら第１内周ばね保持部71は、１つが電動送風機41の下部に位置し、残りの２つが上部両側に位置している。
【００２６】
なお、各第１内周ばね保持部71が周方向に互いに１２０°ずつずれている状態とは、各第１内周ばね保持部71が周方向に互いに１２０°前後ずつずれている状態を含むものとする。
【００２７】
同様に、以下、各部の角度などを規定する数値は、その数値のみでなく、その数値の前後の数値を含むものとする。
【００２８】
一方、外周側ばね支持体52は、例えば合成樹脂、あるいは金属などによりモータカバー42の内周に沿った形状、例えば内周側ばね支持体51よりも径大の円環状に形成され、内周側ばね支持体51と同心状に配置されてモータカバー42側に位置している。したがって、この外周側ばね支持体52も、前後方向(軸方向)の中心域が重心Ｇに対応する位置となっている。また、外周側ばね支持体52の内周側には、内周側ばね支持体51の各第１内周ばね保持部71に対応して、各第１コイルばね43の他端部を保持する第１外周コイルばね保持部としての第１外周ばね保持部73がそれぞれ形成されている。
【００２９】
第１外周ばね保持部73は、それぞれ第１コイルばね43の一端を内周側に嵌着する円筒状の第１外周保持円筒部73aと、この第１外周保持円筒部73aの内部にて径方向に突出し第１コイルばね43に挿入されてこのコイルばね43を保持する第１外周突出保持部73bとを備えている。また、これら第１外周ばね保持部73は、１つが電動送風機41の下部に位置し、残りの２つが上部両側に位置している。
【００３０】
したがって、第１コイルばね43は、ばね支持体51，52間で電動送風機41に対して放射状に取り付けられ、互いに略等間隔(略等角度)に離間されている。すなわち、各第１コイルばね43は、電動送風機41側である一端部が、重心Ｇ側あるいは中心軸側に向けて内周側ばね支持体51の各第１内周ばね保持部71に保持され、他端部が外周側ばね支持体52の各第１外周ばね保持部73に保持されている。このため、第１コイルばね群44は、電動送風部11(電動送風機41)の重心Ｇに対応する位置に取り付けられ、すなわち第１コイルばね群44の外郭の内方に重心Ｇが位置するように取り付けられ、第１コイルばね43が、電動送風部11を軸方向から見た状態で、周方向に互いに１２０°ずつずれた、電動送風機41に対してＹ字状に配置されている。
【００３１】
一方、モータカバー42は、略円筒状の第１モータカバーとしての前部モータカバー75と、この前部モータカバー75の後部に接続される略円筒状の第２モータカバーとしての後部モータカバー76とを有している。すなわち、モータカバー42は、電動送風部11の軸方向(スラスト方向)に組み立ておよび分解可能に形成されている。そして、モータカバー42は、内部に電動送風機41を同軸状に収容している。
【００３２】
前部モータカバー75は、例えば合成樹脂などにより形成され、前側の蓋部となる略円板状の前板81と、この前板81の外周縁部から後方へと延出する前部周壁82とを備え、前板81の略中央部に、本体ケース５の後部連通孔37と電動送風機41の吸気口66とを連通する連通開口である丸孔状の前部連通開口83が開口形成されている。したがって、前部モータカバー75は、後端が開口されている。
【００３３】
前部連通開口83には、本体ケース５の集塵室に連通する後部連通孔37と電動送風部11の負圧側である電動送風機41の吸気口66とを気密に接続するシール部材としてのパッキンである略円筒状のシールリング88が、後部隔壁31との間となる前部に取り付けられている。このシールリング88は、例えばゴムあるいはエラストマなどの弾性を有する部材により略円筒状に形成されており、電動送風部11の軸方向への振動により軸方向に弾性変形することで、この振動を、隔壁部８を介して本体ケース５へと伝達しないように減衰させる振動減衰部となっている。
【００３４】
なお、シールリング88は、電動送風部11を停止させた状態で、若干前方に付勢されるように、すなわち前部が隔壁部８の後部隔壁31の後面に若干圧接されるように取り付けられている。
【００３５】
一方、後部モータカバー76は、例えば合成樹脂などにより形成され、後側の蓋部となる略円板状の後板91と、この後板91の外周縁部から前方へと延出する後部周壁92と、この後部周壁92の外周縁部から径方向へと延出するフランジ部93とを備え、このフランジ部93が前部モータカバー75の前部周壁82の後端に、例えば螺子止めなどにより接続されている。
【００３６】
後板91の後部には、緩衝部材であるクッション部材としてのモータクッション95が取り付けられている。このモータクッション95は、下ケース２の後部に対して所定の間隙を介して対向しており、振動によって電動送風部11が後方に移動した際などに下ケース２に当接して可撓変形することで、この当接時の衝撃を吸収して下ケース２側、あるいは電動送風部11側に伝えにくくするものである。
【００３７】
フランジ部93には、図示しないが、複数箇所に螺子止め用の螺子穴が設けられ、これら螺子穴に図示しない螺子を螺子止めすることにより、前部モータカバー75と後部モータカバー76とが互いに固定されるように構成されている。
【００３８】
そして、このモータカバー42の周囲には、各第２コイルばね45の一端部を保持する第２内周コイルばね保持部としての複数の第２内周ばね保持部101が形成されているとともに、各第２コイルばね群46をなす第２コイルばね受け部としての第２ばね受けリングである本体ケース側ばね支持体102が取り付けられ、これら第２内周ばね保持部101と本体ケース側ばね支持体102との間に、第２コイルばね45が保持されて、電動送風機41が本体ケース５側に対して弾性支持されている。
【００３９】
第２内周ばね保持部101は、前部モータカバー75と後部モータカバー76とにそれぞれ例えば３つずつ形成され、それぞれ第２コイルばね45の一端を内周側に嵌着する円筒状の第２内周保持円筒部101aと、この第２内周保持円筒部101aの内部にて径方向に突出し第２コイルばね45に挿入されてこの第２コイルばね45を保持する第２内周突出保持部101bとを備え、モータカバー42の周方向に互いに略等角度、すなわち本実施の形態では互いに１２０°ずつに離間されている。また、これら第２内周ばね保持部101は、１つが電動送風部11の上部に位置し、残りの２つが下部両側に位置している。
【００４０】
一方、本体ケース側ばね支持体102は、例えば合成樹脂、あるいは金属などにより、例えば内側がモータカバー42の外周に沿った形状、例えばモータカバー42よりも径大の円環状に形成されているとともに、外側が送風室６の内面に沿った形状、例えば下ケース２側の内壁および上ケース３の上ケース下板3aに沿って略四角形状に形成されて、本体ケース５側に位置している。また、本体ケース側ばね支持体102の内周側には、各第２内周ばね保持部101に対応して、各第２コイルばね45の他端部を保持する第２外周コイルばね保持部としての第２外周ばね保持部107がそれぞれ形成されている。
【００４１】
第２外周ばね保持部107は、それぞれ第２コイルばね45の一端を内周側に嵌着する円筒状の第２外周保持円筒部107aと、この第２外周保持円筒部107aの内部にて径方向に突出し第２コイルばね45に挿入されてこの第２コイルばね43を保持する第２外周突出保持部107bとを備えている。また、これら第２外周ばね保持部107は、１つが電動送風機41の上部に位置し、残りの２つが下部両側に位置している。
【００４２】
したがって、第２コイルばね45は、モータカバー42と本体ケース側ばね支持体102との間で電動送風部11に対して放射状に取り付けられ、互いに略等間隔(略等角度)に離間されている。すなわち、各第２コイルばね45は、電動送風部11側である一端部が、重心Ｇ側あるいは電動送風部11の中心軸に向けてモータカバー42の各第２内周ばね保持部101に保持され、他端部が本体ケース側ばね支持体102の各第２外周ばね保持部107に保持されている。このため、各第２コイルばね46群の第２コイルばね45が、電動送風部11を軸方向から見た状態で、電動送風機41に対して周方向に互いに１２０°ずつずれた、逆Ｙ字状に配置されている。
【００４３】
このため、第１コイルばね43と第２コイルばね45とは、周方向に互いに略等間隔で電動送風部11の周方向に対して互いに６０°ずつずれて交互に配置されている。
【００４４】
なお、本実施の形態において、本体ケース側ばね支持体102は、ばね支持体51，52と略等しい幅寸法を有しているが、これらはそれぞれ異なる材質や異なる幅寸法などで形成してもよい。
【００４５】
また、第２コイルばね群46は、一方が重心Ｇよりも前側である遠心ファン57側、すなわちモータカバー42の前部モータカバー75の外周に位置し(以下、第２コイルばね群46aという)、他方が重心Ｇよりも後側である電動機55側、すなわちモータカバー42の後部モータカバー76の外周に位置している(以下、第２コイルばね群46bという)。換言すれば、第２コイルばね群46a，46bは、電動送風部11(電動送風機41)の重心Ｇを挟む位置、すなわち第１コイルばね群44を挟む位置にそれぞれ配置されている。さらに、第２コイルばね群46a，46bは、重心Ｇに対して互いに略等距離に配置されている。換言すれば、第２コイルばね群46a，46bは、第１コイルばね群44に対して、略等距離に配置されている。
【００４６】
また、第２コイルばね群46aの第２コイルばね45のばね定数は、第２コイルばね群46bの第２コイルばね45のばね定数よりも小さく設定されている。すなわち、第２コイルばね群46aの第２コイルばね45は、第２コイルばね群46bの第２コイルばね45よりも弾性が小さく(より小さい力で伸縮しやすく)形成されている。
【００４７】
また、各第２コイルばね45は、各第１コイルばね43と振動数が異なっている。具体的には、第１コイルばね43と第２コイルばね45とは、材質、直径、あるいは線径などが異なっている。
【００４８】
次に、上記第１の実施の形態の電気掃除機の製造方法を説明する。
【００４９】
まず、予め第１コイルばね43によりばね支持体51，52を連結した第１コイルばね群44を、電動送風機41のモータフレーム47の外周に取り付けた状態で、この電動送風機41を各モータカバー75，76により前後から覆ってモータカバー42に組み込んで電動送風部11とする。
【００５０】
次いで、予め第２コイルばね45によりモータカバー42と本体ケース側ばね支持体102とを連結してこれらを送風室６内に嵌着し、電動送風部11側と本体ケース５側との配線を接続する。
【００５１】
この状態で、各部品を組み込み蓋体４と連結した上ケース３を上側から下ケース２の上部へと被せて、上ケース３と下ケース２とを螺子などによって組み付けることにより、掃除機本体１が完成する。
【００５２】
次に、上記第１の実施の形態の作用を説明する。
【００５３】
掃除の際には、まず、本体吸込口21にホース体22、延長管28および床ブラシ29を順次連通接続するとともに、本体ケース５の蓋体４を開けて紙パックを集塵室に装着し、蓋体４を閉じる。
【００５４】
この掃除を開始する前の状態では、電動送風部11は、第２コイルばね群46の各第２コイルばね45の付勢力のつりあいにより、軸方向(前後方向)に所定のスタート位置となっている。
【００５５】
そして、本体ケース５から電源コード13を引き出して壁面などのコンセントに接続し、作業者が把持部25を把持して所定の設定ボタン26を操作すると、電動送風部11の電動送風機41が駆動する。
【００５６】
この電動送風機41の駆動やこの駆動によって発生した負圧などにより、電動送風部11は、軸方向の前後方向に振動しようとする。
【００５７】
このとき、各第２コイルばね群46a，46bの各第２コイルばね45の付勢によって電動送風部11が、つりあいが取れるように図２に示す上下方向、あるいは左右方向に付勢されるとともに、遠心ファン57側の第２コイルばね群46aと電動機55側の第２コイルばね群46bとによって電動送風部11が前後方向に付勢され、すなわち電動送風部11が第２コイルばね群44，44の各第２コイルばね45によって調芯され、電動送風部11の駆動に伴う軸方向(前後方向)および上下方向の振動が吸収される。
【００５８】
さらに、電動送風機41の駆動により、電動送風部11の内部では、電動送風機41の回転方向に交差する径方向(中心軸方向)に振動が発生しようとする。
【００５９】
このとき、電動送風機41の重心Ｇの方向に付勢されている各第１コイルばね43が互いに適宜伸縮して電動送風機41を調芯することにより、電動送風機41の駆動に伴う径方向(中心軸方向)の振動も第１コイルばね群44によって吸収される。
【００６０】
そして、電動送風機41の駆動による負圧により、床ブラシ29、延長管28、ホース体22、本体吸込口21、紙パックと作用する風路が形成され、空気とともに塵埃が吸い込まれる。
【００６１】
吸い込まれた空気は吸気風となり、この吸気風に含まれる塵埃は、紙パックを空気が通過する際に紙パックに捕集される。なお、紙パック内に収容された塵埃は、通過する吸気風により圧縮される。
【００６２】
さらに、紙パックを通過した吸気風は、フィルタ、前部連通孔、ダクトおよび後部連通孔37を通過し、電動送風機41の吸気口66を介して電動送風機41のファンカバー48内へと流入し、遠心ファン57の中心部から吸い込まれて周方向に排気され、モータフレーム47内を通過し、各排気口61から排気風として電動送風機41の外部へと排気される。
【００６３】
これら排気風は、モータカバー42の後部連通開口97を介して下方へと排気された後、電動送風部11の周囲から一部が上方へと流れ、本体ケース５の排気孔12から本体ケース５の外部へと排気されるとともに、残りが隔壁部８の連通口からコードリール室に流入してコードリール(電源コード13)を冷却しつつ、コード導出口を介して本体ケース５の外部へと排気される。
【００６４】
掃除が終了すると、作業者は設定ボタン26を操作して電動送風機41を停止させ、電気掃除機の運転を停止する。
【００６５】
このとき、電動送風部11は、各第２コイルばね群46，46の調芯作用によって所定のスタート位置に復帰する。
【００６６】
紙パックに所定量以上の塵埃が溜まった場合には、蓋体４を開けて紙パックを集塵室から取り外して塵埃とともに廃棄し、新たな紙パックを集塵室に装着する。
【００６７】
上述したように、上記一実施の形態では、電動送風機41をモータカバー42に対して第１コイルばね群44の第１コイルばね43によって支持した電動送風部11を第２コイルばね群46の第２コイルばね45によって本体ケース５に対して支持するとともに、第１コイルばね群44の第１コイルばね43と、第２コイルばね群46(第２コイルばね群46a，46b)の第２コイルばね45とを、電動送風部11の周方向に対して互いにずらして配置する構成とした。
【００６８】
このため、各第１コイルばね43の伸縮により、電動送風機41の駆動に伴う上下左右方向および軸方向への振動をモータカバー42に対して吸収し、かつ、このモータカバー42に残留した振動を各第２コイルばね45の伸縮により吸収し、かつ、コイルばね43，45の一方によって振動を吸収しにくい位置を他方によってカバーできるなど、電動送風機41の駆動に伴う振動を、各コイルばね群44，46によって効果的に吸収でき、本体ケース５への振動絶縁を図ることができる。
【００６９】
また、各第１コイルばね43は、ばね支持体51，52間に保持されて第１コイルばね群44としてユニット化されているので、これら第１コイルばね43を電動送風機41に対して容易に取り付けでき、製造性が向上する。
【００７０】
同様に、各第２コイルばね45は、一端側が本体ケース側ばね支持体102に保持されて第２コイルばね群46としてユニット化されているので、これら第２コイルばね45を電動送風部11の第２内周ばね保持部101に対して容易に取り付けでき、製造性が向上する。
【００７１】
さらに、第１コイルばね群44の３つの第１コイルばね43と各第２コイルばね群46の３つの第２コイルばね45とを周方向に対して互いに６０°ずつずらして交互に配置することで、第１コイルばね43と第２コイルばね45とを等間隔に配置することが可能となり、電動送風機41の駆動に伴う振動を、各コイルばね群44，46によって、より効果的に吸収できる。
【００７２】
そして、第１コイルばね群44の各第１コイルばね43が、電動送風機41の下部および上部両側にそれぞれ位置し、第２コイルばね群46の各第２コイルばね45が、電動送風部11の上部および下部両側にそれぞれ位置することで、電動送風部11を第２コイルばね群46内で吊り下げ支持した状態とすることができ、例えば電動送風部11の下部と上部両側とに第２コイルばね45を配置する場合と比較して、電動送風機41の駆動に伴う振動を本体ケース５に、より伝えにくくできる。
【００７３】
また、第１コイルばね群44を重心Ｇに対応する位置に配置することで、電動送風機41の駆動に重心Ｇよりも前側あるいは後側で上下方向に発生する振動を最小限とすることができ、振動をモータカバー42に、より伝えにくくできるとともに、第２コイルばね群46a，46bを、第１コイルばね群44を挟む位置に配置することで、電動送風部11の重心Ｇの前後での振動を吸収できる。
【００７４】
さらに、電動送風機41の駆動により回転する遠心ファン57によって、電動送風部11は、電動機55側(後側)よりも遠心ファン57側(前側)の方が中心軸に対して振れ回りが大きくなるため、遠心ファン57側の第２コイルばね群46aの各第２コイルばね45のばね定数を、電動機55側の第２コイルばね群46bの各第２コイルばね45のばね定数よりも小さくすることで、遠心ファン57側の振れ回りを、より確実に吸収できる。
【００７５】
さらに、上記のように各振動を本体ケース５に伝えないように構成することで、電気掃除機の運転時の電動送風部11の振動に起因する音の発生を防止でき、特に振動が反響しやすい木床などでの掃除の際でも、動作音が静かになり、比較的振動が大きい電動送風機41でも採用することが可能となり、品質が安定する。
【００７６】
次に、第２の実施の形態を図４を参照して説明する。なお、上記第１の実施の形態と同様の構成および作用については、同一符号を付してその説明を省略する。
【００７７】
この第２の実施の形態は、上記第１の実施の形態において、第１コイルばね群44が４つの第１コイルばね43を有しているとともに、各第２コイルばね群46が４つの第２コイルばね45を有しているものである。
【００７８】
第１コイルばね群44を構成する内周側ばね支持体51は、第１内周ばね保持部71が４箇所に形成され、これら第１内周ばね保持部71が、内周側ばね支持体51の周方向に互いに略等角度、すなわち本実施の形態では互いに９０°ずつに離間されている。また、これら第１内周ばね保持部71は、電動送風機41の上下左右にそれぞれ位置している。
【００７９】
同様に、第１コイルばね群44を構成する外周側ばね支持体52は、第１外周ばね保持部73が４箇所に形成され、これら第１外周ばね保持部73が、外周側ばね支持体52の周方向に互いに略等角度、すなわち本実施の形態では互いに９０°ずつに離間されている。また、これら第１外周ばね保持部71は、各第１内周ばね保持部71に対応する位置、すなわち電動送風機41の上下左右にそれぞれ位置している。
【００８０】
したがって、第１コイルばね43は、電動送風部11を軸方向から見た状態で、電動送風機41に対して周方向に互いに９０°ずつずれた、十字状に配置されている。
【００８１】
一方、第２内周ばね保持部101は、モータカバー42の前部モータカバー75および後部モータカバー76にそれぞれ４箇所に形成され、これら第２内周ばね保持部101が、モータカバー42の周方向に互いに略等角度、すなわち本実施の形態では互いに９０°ずつに離間されている。また、これら第２内周ばね保持部71は、電動送風機41の上部両側および下部両側にそれぞれ位置している。
【００８２】
同様に、第２コイルばね群46を構成する本体ケース側ばね支持体102は、第２外周ばね保持部107が４箇所に形成され、これら第２外周ばね保持部107が、本体ケース側ばね支持体102の周方向に互いに略等角度、すなわち本実施の形態では互いに９０°ずつに離間されている。また、これら第２外周ばね保持部107は、各第２内周ばね保持部101に対応する位置、すなわち電動送風部11の上部両側および下部両側にそれぞれ位置している。
【００８３】
したがって、第１コイルばね43は、電動送風部11を軸方向から見た状態で、電動送風機41に対して周方向に互いに９０°ずつずれた、Ｘ字状に配置されている。
【００８４】
このため、第１コイルばね43と第２コイルばね45とは、周方向に互いに略等間隔で電動送風部11の周方向に対して互いに４５°ずつずれて交互に配置されている。
【００８５】
そして、電動送風機41をモータカバー42に対して弾性的に支持する複数の第１コイルばね43と、電動送風部11を本体ケース５に対して弾性的に支持する複数の第２コイルばね45とを、電動送風部11の周方向に対してずらして配置するなど、上記第１の実施の形態と同様の構成を有することにより、上記第１の実施の形態と同様の作用効果を奏することができるとともに、第１コイルばね43と第２コイルばね45とをそれぞれ４つずつとすることで、電動送風機41の駆動に伴う振動を、より確実に吸収できる。
【００８６】
次に、第３の実施の形態を図５を参照して説明する。なお、上記第１の実施の形態と同様の構成および作用については、同一符号を付してその説明を省略する。
【００８７】
この第３の実施の形態は、上記第１の実施の形態において、第１コイルばね群44が２つの第１コイルばね43を有しているとともに、各第２コイルばね群46が２つの第２コイルばね45を有しているものである。
【００８８】
第１コイルばね群44を構成する内周側ばね支持体51は、第１内周ばね保持部71が２箇所に形成され、これら第１内周ばね保持部71が、内周側ばね支持体51の周方向に互いに略等角度、すなわち本実施の形態では互いに１８０°ずつに離間されている。換言すれば、これら第１内周ばね保持部71は、重心Ｇに対して互いに対称な位置に配置されている。また、これら第１内周ばね保持部71は、電動送風機41の左右にそれぞれ位置している。
【００８９】
同様に、第１コイルばね群44を構成する外周側ばね支持体52は、第１外周ばね保持部73が２箇所に形成され、これら第１外周ばね保持部73が、外周側ばね支持体52の周方向に互いに略等角度、すなわち本実施の形態では互いに１８０°ずつに離間されている。また、これら第１外周ばね保持部71は、各第１内周ばね保持部71に対応する位置、すなわち電動送風機41の左右にそれぞれ位置している。
【００９０】
したがって、第１コイルばね43は、電動送風部11を軸方向から見た状態で、電動送風機41に対して略水平状に配置されている。
【００９１】
一方、第２内周ばね保持部101は、モータカバー42の前部モータカバー75および後部モータカバー76にそれぞれ２箇所に形成され、これら第２内周ばね保持部101が、モータカバー42の周方向に互いに略等角度、すなわち本実施の形態では互いに１８０°ずつに離間されている。換言すれば、これら第１内周ばね保持部71は、重心Ｇに対して互いに対称な位置に配置されている。また、これら第２内周ばね保持部71は、電動送風機41の上下にそれぞれ位置している。
【００９２】
同様に、第２コイルばね群46を構成する本体ケース側ばね支持体102は、第２外周ばね保持部107が２箇所に形成され、これら第２外周ばね保持部107が、本体ケース側ばね支持体102の周方向に互いに略等角度、すなわち本実施の形態では互いに１８０°ずつに離間されている。また、これら第２外周ばね保持部107は、各第２内周ばね保持部101に対応する位置、すなわち電動送風部11の上下にそれぞれ位置している。
【００９３】
したがって、第１コイルばね43は、電動送風部11を軸方向から見た状態で、電動送風機41に対して略垂直状に配置されている。
【００９４】
このため、第１コイルばね43と第２コイルばね45とは、周方向に互いに略等間隔で電動送風部11の周方向に対して互いに９０°ずつずれて交互に配置されている。
【００９５】
そして、電動送風機41をモータカバー42に対して弾性的に支持する複数の第１コイルばね43と、電動送風部11を本体ケース５に対して弾性的に支持する複数の第２コイルばね45とを、電動送風部11の周方向に対して互いにずらして配置するなど、上記第１の実施の形態と同様の構成を有することにより、上記第１の実施の形態と同様の作用効果を奏することができるとともに、第１コイルばね43と第２コイルばね45とをそれぞれ２つずつとすることで、各コイルばね群44，46の構成を簡略化できる。
【００９６】
なお、上記各実施の形態において、第２コイルばね群46は、３つ以上設けてもよい。例えば３以上の奇数個の第２コイルばね群46を有する場合には、１つを重心Ｇに対応する位置とし、残りを前後にバランスよく配置し、２以上の偶数個の第２コイルばね群46を有する場合には、重心Ｇを挟む位置にバランスよく配置すればよい。
【００９７】
また、一の第２コイルばね群46の各第２コイルばね45と他の第２コイルばね群46の各第２コイルばね45とは、周方向にずれた位置でもよい。この場合には、第２コイルばね45を第１コイルばね群44の各第１コイルばね43の間、すなわちこれら第１コイルばね43とずれた位置に配置することで、上記各実施の形態と同様の作用効果を奏することができる。
【００９８】
次に、第４の実施の形態を図６を参照して説明する。なお、上記各実施の形態と同様の構成および作用については、同一符号を付してその説明を省略する。
【００９９】
この第４の実施の形態は、上記各実施の形態において、第２コイルばね群46が１つ設けられているものである。
【０１００】
すなわち、この第２コイルばね群46は、第１コイルばね群44の外方、すなわち電動送風部11の重心Ｇに対応する位置に配置されている。なお、第１コイルばね43の個数や配置、および、第２コイルばね45の個数や配置などは、便宜上、上記第１の実施の形態と同様としたが、上記各実施の形態のいずれの構成としてもよい。
【０１０１】
そして、電動送風機41をモータカバー42に対して弾性的に支持する複数の第１コイルばね43と、電動送風部11を本体ケース５に対して弾性的に支持する複数の第２コイルばね45とを、電動送風部11の周方向に対して互いにずらして配置するなど、上記各実施の形態と同様の構成を有することにより、上記各実施の形態と同様の作用効果を奏することができるとともに、第２コイルばね群46を１つとして、電動送風部11の重心Ｇに対応する位置に配置することで、第２コイルばね群46により電動送風部11を効果的に弾性支持しつつ、構成を簡略化できる。
【０１０２】
なお、上記各実施の形態において、各コイルばね43，45の配置は、互いに周方向にずらして電動送風部11を保持できれば、任意に設定できる。
【０１０３】
同様に、各コイルばね群44，46は、２本以上の任意の本数のコイルばね43，45を備えるように構成できる。
【０１０４】
すなわち、例えば上記各実施の形態のコイルばね群44，46の各コイルばね43，45のそれぞれを、全体として同様のばね定数を有する複数本のコイルばねとすることなども可能である。
【０１０５】
また、第１コイルばね群44は、各ばね支持体51，52によってユニット状にそれぞれ形成したが、例えば各第１コイルばね43の端部をモータフレーム47の外周、あるいはモータカバー42の内周に直接係止する構成などでもよい。
【０１０６】
さらに、各ばね支持体51，52のばね保持部71，73の構成は、例えば各第１コイルばね43の端部を溝に嵌合させる構成、あるいは各第１コイルばね43の端部をガイドリブに取り付ける構成などとしてもよい。
【０１０７】
同様に、第２コイルばね群46は、本体ケース側ばね支持体102によってユニット状にそれぞれ形成したが、例えば各第２コイルばね45の端部をモータカバー42の外周、あるいは送風室６の内面に直接係止する構成などでもよい。
【０１０８】
さらに、ばね保持部101，107の構成は、例えば各第２コイルばね45の端部を溝に嵌合させる構成、あるいは各第２コイルばね45の端部をガイドリブに取り付ける構成などとしてもよい。
【０１０９】
そして、電気掃除機の細部は、上記構成に限定されるものではなく、例えばアップライト型やハンディ型の電気掃除機などにも対応して用いることができる。
【図面の簡単な説明】
【０１１０】
【図１】本発明の第１の実施の形態の電気掃除機の要部を示す縦断面図である。
【図２】同上電気掃除機の要部を示す横断面図である。
【図３】同上電気掃除機を示す斜視図である。
【図４】本発明の第２の実施の形態の電気掃除機の要部を示す横断面図である。
【図５】本発明の第３の実施の形態の電気掃除機の要部を示す横断面図である。
【図６】本発明の第４の実施の形態の電気掃除機の要部を示す縦断面図である。
【符号の説明】
【０１１１】
５    本体ケース
６    収容室としての送風室
11    電動送風部
41    電動送風機
42    カバー体としてのモータカバー
43    第１コイルばね
44    第１コイルばね群
45    第２コイルばね
46    第２コイルばね群
55    電動部である電動機
57    ファンである遠心ファン
【図１】
0005197044.tif 000002
【図２】
0005197044.tif 000003
【図３】
0005197044.tif 000004
【図４】
0005197044.tif 000005
【図５】
0005197044.tif 000006
【図６】
0005197044.tif 000007